(57)【要約】【課題】  研磨組を駆動する伝動モータへの電力のオン・オフを自動的に制御すること。【解決手段】  本体と、伝動モータと、電池台と、電気連通具と、収容台と、伝動軸と、研磨組とを含む胡椒用電動研磨器において、前記本体は、中空を呈し、上端に上蓋がカバーしてあり、前記伝動モータは、本体内に設置され、シャフトが本体の外部に伸び出して伝動軸を回転し、前記電気連通具は、電池台に設置され、二つの導電端子により電池組と伝動モータとに電気的に連通し、二つの前記導電端子の間には一つの圧止ブロックが設けてあり、研磨器の転倒により、前記圧止ブロックが二つの導電端子の電気的な連通状態を制御し、前記研磨組は、収容台に設置され、内研磨歯と外研磨歯とから構成され、前記内研磨歯に伝動軸が設けてあり、伝動軸の回転により内研磨歯が回転され、内研磨歯と外研磨歯との組合により胡椒粒が研磨される。【選択図】  図１
0003112547.tif 000002
【実用新案登録請求の範囲】
【請求項１】
本体と、伝動モータと、電池台と、電気連通具と、収容台と、伝動軸と、研磨組とを含む胡椒用電動研磨器において、
前記本体は、中空を呈し、上端に上蓋がカバーしてあり、前記上蓋は、本体で旋回することにより、電池組を電気的にオン・オフにするメイン・スイッチとして使用され、
前記伝動モータは、本体内に設置され、シャフトが本体の外部に伸び出して伝動軸を回転し、
前記電池台は、本体内に設置され、内部に電池組が設置され、前記電池組には収容空間が設けてあり、
前記電気連通具は、電池台に設置され、二つの導電端子により電池組と伝動モータとに電気的に連通し、二つの前記導電端子の間には一つの圧止ブロックが設けてあり、研磨器の転倒状態により、前記圧止ブロックが二つの導電端子の電気的な連通状態を制御し、
前記収容台は、胡椒粒を収容し、本体の下端に取付けられ、
前記伝動軸は、伝動モータに伝動され、
前記研磨組は、収容台に設置され、内研磨歯と外研磨歯とから構成され、前記内研磨歯に伝動軸が設けてあり、伝動軸の回転により内研磨歯が回転され、内研磨歯と外研磨歯との組合により胡椒粒が研磨されることを特徴とする、
胡椒用電動研磨器。
【請求項２】
前記本体の内部の周壁の上縁にＬ字形を呈する固定溝が複数に設けてあり、前記固定溝の中には二つのリブが設けてあり、前記上蓋の周縁に下へ伸びた固定鉤が複数に設けてあり、且つ上蓋の下面には対応する二つの円弧形の導電段が設けてあり、上蓋の固定鉤が固定溝に対応して挿入された後、固定溝の設置方向に沿って上蓋を旋回すると、固定鉤が一つ目のリブを超えて上蓋を定位し、このとき、対応する二つの導電段が電池組を直列接続しないので、電源がオフ状態であり、前記上蓋を継続に旋回して二つ目のリブを超えたと、対応する二つの導電段が電池組を直列接続したので、電源がオン状態であることを特徴とする、請求項１に記載の胡椒用電動研磨器。
【請求項３】
前記電気連通具の二つの導電端子は上下に交錯するように設計され、且つ前記圧止ブロックは一定の重量を持つものであり、前記圧止ブロックが二つの導電端子を押圧することの有無により、二つの導電端子が電気的に連通する状態、又は連通しない状態になることを特徴とする、請求項１に記載の胡椒用電動研磨器。
【請求項４】
前記圧止ブロックは導電体であることを特徴とする、請求項１に記載の胡椒用電動研磨器。
【請求項５】
前記導電体は水銀であることを特徴とする、請求項４に記載の胡椒用電動研磨器。
【請求項６】
前記導電体は金属ブロックであることを特徴とする、請求項１に記載の胡椒用電動研磨器。
【考案の詳細な説明】
【技術分野】
【０００１】
本考案は、胡椒用電動研磨器に係り、特に、電池組と伝動モータとの間に設置された電気連通具により、研磨組を駆動する伝動モータへの電力のオン・オフを自動的に制御する胡椒用電動研磨器に関するものである。
【背景技術】
【０００２】
一般の胡椒用電動研磨器は、伝動モータによって研磨組を駆動して胡椒を研磨するので、使用はより便利で省力化になり、消費者に愛用されているが、従来の胡椒用電動研磨器は、押圧式スイッチ又は切替式スイッチによって胡椒用電動研磨器をオン・オフにするので、使用はやや不便である。
【０００３】
図１５と図１６に示すのは、押圧式スイッチを採用した胡椒用電動研磨器である。これは、上本体部材４０と、胡椒粒空間５０と、伝動部材６０と、研磨部材７０とを含む。
【０００４】
前記上本体部材４０は、上蓋４０１には円筒体４０２の係り溝４０２１と結合する係り鉤４０１１が三つに設けてあり、且つ円筒体４０２の外側に透明カバー４０３が嵌めてあり、なお、円筒体４０２にはスイッチ溝４０２２が設けてあり、スイッチ溝４０２２にはホゾ４０２３が設けてあり、これにより、下向きの開口溝４０４１を持つスイッチ４０４をスイッチ溝４０２２に取付けることができる。また、円筒体４０２に二つの係りホゾ４０２４が設けてあることにより、係りホゾ４０２４が手動回転盤４０５の押圧ブロック４０５１のホゾ溝に係ることができ、押圧ブロック４０５１を押圧すると上本体部材４０が分離できる。
【０００５】
前記手動回転盤４０５は、下に反動止め具４０５２が設けてあり、反動止め具４０５２が胡椒粒空間５０の斜動止め具４０５２に合うことにより、胡椒粒空間５０は回転シャフト７０１に従って回転しない。
【０００６】
前記伝動部材６０は、モータ６０１がモータ台６０２内に設置され、モータ台６０２が円筒体４０２のモータ空間４０６内に設置される。
【０００７】
研磨部材７０の回転シャフト７０１は、一端がはすば歯車７０２の十二辺形の中心穴に挿入され、他端が上蓋４０１のナット７０３と螺着することにより、回転シャフト７０１が調整して昇降することができ、これにより、研磨された胡椒粒の粒度を調整することができる。
【考案の開示】
【考案が解決しようとする課題】
【０００８】
しかしながら、上記の胡椒用電動研磨器によれば、使用者はスイッチ４０４をずっと押し続けることが必要であり、そうしないと胡椒用電動研磨器が胡椒粒を研磨しないので、極めて不便である。また、切替式スイッチを採用した胡椒用電動研磨器によれば、スイッチをオフ位置に切替しないと、胡椒用電動研磨器が胡椒粒を継続して研磨しないので、使用が極めて面倒である。
【０００９】
本考案の主な目的は、電池組と伝動モータとの間に設置された電気連通具により、研磨組を駆動する伝動モータへの電力のオン・オフを自動的に制御する胡椒用電動研磨器を提供する。
【課題を解決するための手段】
【００１０】
上記目的を達成するためになされた本願の第１考案は、本体と、伝動モータと、電池台と、電気連通具と、収容台と、伝動軸と、研磨組（研磨ユニット）とを含む胡椒用電動研磨器において、前記本体は、中空を呈し、上端に上蓋がカバーしてあり、前記上蓋は、本体で旋回することにより、電池組を電気的にオン・オフにするメイン・スイッチとして使用され、前記伝動モータは、本体内に設置され、シャフトが本体の外部に伸び出して伝動軸を回転し、前記電池台は、本体内に設置され、内部に電池組が設置され、前記電池組には収容空間が設けてあり、前記電気連通具は、電池台に設置され、二つの導電端子により電池組（電池ユニット）と伝動モータとに電気的に連通（接続）し、二つの前記導電端子の間には一つの圧止ブロックが設けてあり、研磨器の転倒状態により、前記圧止ブロックが二つの導電端子の電気的な連通状態（断続）を制御し、前記収容台は、胡椒粒を収容し、本体の下端に取付けられ、前記伝動軸は、伝動モータに伝動され、前記研磨組は、収容台に設置され、内研磨歯と外研磨歯とから構成され、前記内研磨歯に伝動軸が設けてあり、伝動軸の回転により内研磨歯が回転され、内研磨歯と外研磨歯との組合により胡椒粒が研磨されることを特徴とする胡椒用電動研磨器であることを要旨としている。
【００１１】
本願の第２考案では、前記本体の内部の周壁の上縁にＬ字形を呈する固定溝が複数に設けてあり、前記固定溝の中には二つのリブが設けてあり、前記上蓋の周縁に下へ伸びた固定鉤が複数に設けてあり、且つ上蓋の下面には対応する二つの円弧形の導電段が設けてあり、上蓋の固定鉤が固定溝に対応して挿入された後、固定溝の設置方向に沿って上蓋を旋回すると、固定鉤が一つ目のリブを超えて上蓋を定位し、このとき、対応する二つの導電段が電池組を直列接続しないので、電源がオフ状態であり、前記上蓋を継続に旋回して二つ目のリブを超えたと、対応する二つの導電段が電池組を直列接続したので、電源がオン状態であることを特徴とする前記第１考案に記載の胡椒用電動研磨器であることを要旨としている。
【００１２】
本願の第３考案では、前記電気連通具の二つの導電端子は上下に交錯するように設計され、且つ前記圧止ブロックは一定の重量を持つものであり、前記圧止ブロックが二つの導電端子を押圧することの有無により、二つの導電端子が電気的に連通する又は連通しない状態になることを特徴とする前記第１考案に記載の胡椒用電動研磨器であることを要旨としている。
【００１３】
本願の第４考案では、前記圧止ブロックは導電体であることを特徴とする前記第１考案に記載の胡椒用電動研磨器であることを要旨としている。
【００１４】
本願の第５考案では、前記導電体は水銀であることを特徴とする前記第４考案に記載の胡椒用電動研磨器であることを要旨としている。
【００１５】
本願の第６考案では、前記導電体は金属ブロックであることを特徴とする前記第１考案に記載の胡椒用電動研磨器であることを要旨としている。
【考案の効果】
【００１６】
本考案に係る胡椒用電動研磨器によれば、長時間に使用しない、又は始めて使用しようとする場合には、上蓋を旋回してメイン・スイッチをオン・オフすることが必要であり、暫く使用しない場合には、研磨器を転倒すると、研磨器の研磨が停止し、再び研磨しようとする場合には、研磨器を正立するといいので、操作は極めて容易で便利である。
【考案を実施するための最良の形態】
【００１７】
以下、添付図面を参照して本考案の好適な実施の形態を詳細に説明する。
【００１８】
まず、図１乃至図６を参照する。図１に示すのは本考案に係る実施例１であり、あれは、本体１と、伝動モータ２と、電池台３と、電気連通具４と、収容台５と、伝動軸６と、研磨組７とを含む。
【００１９】
前記本体１は、中空を呈し、下面の中央に貫通孔１１が開設してあり、前記下面の外縁に三つの係り孔１２が等距離で設けてあり、本体１の内部の周壁の上縁にＬ字形の固定溝１３が複数に設けてあり、固定溝１３内にリブ１４，１５が設けてあり、また、本体１の上端に上蓋１６がカバーしてあり、前記上蓋１６の周縁に下へ伸びた固定鉤１６１が四つに設けてあり、上蓋１６の底面には互いに対応する円弧形の導電段１６２が二つに設けてあり、上蓋１６の固定鉤１６１が固定溝１３に対応して挿入された後、固定溝１３の設置方向に沿って上蓋１６を旋回すると、図３に示すように、固定鉤１６１が一つ目のリブ１４を超えて第一リブ１４と第二リブ１５との間に位置し上蓋１６を定位し、また、隣接する固定溝１３の間には係り溝１７が形成してある。
【００２０】
前記伝動モータ２は、本体１内に設置され、シャフト２１が本体１の貫通孔１１を挿通して外部に伸び出して伝動スリーブ２２と連接し、前記伝動スリーブ２２の底端には突起２２１が二つに設けてある。
【００２１】
前記電池台３は、本体１内に設置され、伝動モータ２の上方に位置し、図４に示すように、その中央に収容空間３１が設けてあり、収容空間３１の両側には接点３２，３２´がそれぞれ設けてあり、電池台３の外周に電池空間３３が四つに設けてあり、電池空間３３に電池３４１が設置され、各電池空間３３の上端には係り突起３５が凸設してあり、係り突起３５が本体１の係り溝１７に嵌合する。
【００２２】
前記電気連通具４は、図４と図５に示すように、電池台３の収容空間３１内に設置され、二つの導電端子４１を有し、収容空間３１の両側の接点３２，３２´とそれぞれ連接し、且つ二つの導電端子４１は上下に交錯する状態であり、収容空間３１内に一定重量を持つ圧止ブロック４２が設けてあり、前記圧止ブロック４２が二つの導電端子４１を押圧することの有無により、二つの導電端子４１が電気的に連通する又は連通しない状態になる。
【００２３】
前記収容台５は、胡椒粒を収容し、上縁に上へ伸びＬ字形を呈する係止片５１が等距離で設けてあり、図６に示すように、係止片５１が本体１の係り孔１２に対応して係ることができ、収容台５を本体の下に取付けて、ネジ５３により固定枠５２を収容台５の内部に螺着し、且つ固定枠５２の周壁には弾性を持つ係止鉤５２１と嵌め溝（図示せず）とが複数に設けてあり、また、固定枠５２の上端に一つの盤体５４が設けてあり、盤体５４の中央には一つの多辺形孔５４１が開設してあり、また、収容台５の下端には下蓋５５が結合してある。
【００２４】
前記伝動軸６は、多辺形のシャフトであり、盤体５１にある多辺形孔５４１を挿通し、また、上端に連動スリーブ６１が嵌めてあり、連動スリーブ６１の両端が伝動スリーブ２２の二つの突起２２１の間に位置し突起２２１に限定され、また、伝動軸６の末端には定位具６２が固定してある。
【００２５】
前記研磨組７は、外研磨歯７１と内研磨歯７２とから構成され、外研磨歯７１は、内周壁に研磨歯７１１を有し、外周壁にリブ７１２が設けてあり、固定枠５２内に収容され、且つ固定枠５２の係止鉤５２１の係りにより外れることがないと共に、リブ７１２が固定枠５２の嵌め溝に嵌合し、これにより、外研磨歯７１が回転しなくなり、なお、内研磨歯７２は、その外周には研磨歯７２１が設けてあり、中央には伝動シャフト６に挿通される多辺形孔７２２が設けてある。
【００２６】
本考案の組合方法は、図２乃至図６に示すように、まず、電気連通具４を電池大３の収容空間３１内に設置し、電気連通具４の二つの導電端子４１を電池台３の二つの接点３２，３２´にそれぞれ連接して、接点３２を伝動モータ２と連接し、接点３２´を電池組３４と連接し、また、伝動モータ２と電池台３とを本体１内に順序に設置して、伝動モータ２のシャフト２１を本体１の貫通孔１１から突出して伝動スリーブ２２と嵌め連接し、また、電池台３を本体１に設置するときに、係り突起３５がちょうど係り溝１７に対応して嵌め込まれ、これにより、電池台３が定位され、また、上蓋１６の固定鉤１６１を本体１の固定溝１３に対応して嵌め込んで固定溝１３の設けられる方向に沿って一定角度に旋回して、図４に示すように、固定鉤１６１をリブ１４を超えることにより、上蓋１６を本体１に固定し、また、伝動モータ２と電池台３とが本体１内に固定していなく、このとき、上蓋１６の導電段１６２が電池３４１を連通しないので、各電池３４１は直列接続しない状態であり、一方、研磨組７を固定枠５２内に設置して、係止鉤５２１によって外研磨歯７１を係り固定して、伝動軸６の上端を連動スリーブ６１と連接して、盤体５４と内研磨歯７２との多辺形孔５４１，７２２に伝動軸６を挿通し、最後に、伝動軸６の末端に定位具６２を嵌めて固定し、これにより、研磨組７が伝動軸６に固定され、また、固定枠５２がネジ５３によって収容台５内に固定されるので、伝動軸６と研磨組７とが収容台５内に安定に固定され、また、下蓋５５を収容台５の底部に設置し、最後に、収容台５の係止片５１を本体１の係り孔１２に対応して挿入してある角度に旋回して、Ｌ字形の係止片５１の係りにより、本体１と収容台５とが一体になり、胡椒用電動研磨器の組合が完成した。
【００２７】
本考案の使用方法は、収容台５を本体１から外して、収容台５内に胡椒粒を充填した後、収容台５を本体１に結合し、そして上蓋１６をリブ１５へ旋回させて、図７に示すように、固定鉤１６１がリブ１５を超えると、上蓋１６にある導電段１６２が電池３４１を連通し、このとき、研磨器が正立状態であれば、電気連通具４内の圧止ブロック４２が二つの導電端子４１を押圧し、図６に示すように、二つの導電端子４１は圧止ブロック４２の押圧によって互いに接触して電気的な連通状態になり、電池組３４の電流が電動モータ２に流入して電動モータ２が回転し始め、また、電動モータ２のシャフト２１に設けた伝動スリーブ２２の二つの突起２２１が連動スリーブ６１を挟んで回転し、連動スリーブ６１に伝動軸６が固定されたので、伝動軸６が内研磨歯７２を回転して胡椒粒を研磨する。
【００２８】
研磨を暫く停止しようとする場合には、図９に示すように、研磨器を転倒させ、このとき、電気連通具４内の圧止ブロック４２が二つの導電端子４１を押圧しなくなり、二つの導電端子４１は互いに接触しなく、電池組３４の電流が電動モータ２に流入できなくなり、電動モータ２の回転が停止し、すなわち、胡椒研磨器の研磨が停止になり、再び研磨しようとする場合には、図８に示すように、研磨器を正立すると、研磨が再び開始し、このような構造によれば、使用者が本考案を使用するときに、スイッチを押圧し又は切替することが必要なくなり、研磨器を正立し又は転倒することにより、研磨器のオン・オフを制御することができるので、使用が極めて容易で便利である。
【００２９】
また、図１０乃至図１２に示すのは、本考案に係る電気連通具８の実施例２であり、あれは、電池台３の収容空間３１内に収容される電気連通具８を変更し、電気連通具８も二つの導電端子８１を有し、導電端子８１が収容空間３１の両側にある接点３２，３２´とそれぞれ連通し、且つ二つの導電端子８１の間には圧止ブロック８２が設けてあり、前記圧止ブロック８２は導電体であり、ここで、前記導電体は水銀であり、これにより、前記圧止ブロック８２が二つの導電端子８１を押圧することの有無により、二つの導電端子８１が電気的に連通する又は連通しない状態になる。
【００３０】
また、図１３と図１４に示すのは、本考案に係る電気連通具８の実施例３であり、あれは、電池台３の収容空間３１内に圧止ブロック９１を設置し、前記圧止ブロック９１は、導電性を持つ金属ブロックであり、且つ収容空間３１の両側の接点３２，３２´とそれぞれ連接した二つの導電端子９２を有し、胡椒研磨器が正立するときに、圧止ブロック９１が二つの導電端子９２と接触し、胡椒研磨器が転倒されたときに、圧止ブロック９１が二つの導電端子９２から離れ、これにより、伝動モータ２の作動が自動的に制御される。
【００３１】
上記の説明から明らかなように、本考案に係る胡椒用電動研磨器は、長時間に使用しない、又は始めて使用しようとする場合には、上蓋を旋回してメイン・スイッチをオン・オフすることが必要であり、暫く使用しない場合には、研磨器を転倒すると、研磨器の研磨が停止し、再び研磨しようとする場合には、研磨器を正立するといいので、操作は極めて容易で便利である。
【図面の簡単な説明】
【００３２】
【図１】本考案の分解斜視図である。
【図２】本考案の組合状態の側面断面図である。
【図３】本考案の一部の組合状態の上面断面図１である。
【図４】本考案の電池台と電気連通具との組合を示す下面図である。
【図５】本考案の伝動モータと電池台と電気連通具との関係を示す概略図である。
【図６】本考案の一部の組合状態の上面断面図２である。
【図７】本考案の上蓋をある角度に旋回した後の概略図である。
【図８】本考案の使用状態を示す斜視図である。
【図９】本考案を転倒した後の一部の拡大図である。
【図１０】本考案の伝動モータと電池台と他の電気連通具との関係を示す概略図である。
【図１１】本考案に係る実施例２の転倒する前の一部の拡大図である。
【図１２】本考案に係る実施例２の転倒した後の一部の拡大図である。
【図１３】本考案に係る実施例３の転倒する前の一部の拡大図である。
【図１４】本考案に係る実施例３の転倒した後の一部の拡大図である。
【図１５】従来の胡椒研磨器の分解斜視図である。
【図１６】従来の胡椒研磨器の組合状態の断面図である。
【符号の説明】
【００３３】
（本考案の部分）
１        本体                      １１      貫通孔
１２      係り孔                    １３      固定溝
１４      リブ                      １５      リブ
１６      上蓋                      １６１    固定鉤
１６２    導電段                    １７      係り溝
２        伝動モータ                ２１      シャフト
２２      伝動スリーブ              ２２１    突起
３        電池台                    ３１      収容空間
３２      接点                      ３２´    接点
３３      電池空間                  ３４      電池組
３４１    電池                      ３５      係り突起
４        電気連通具                ４１      導電端子
４２      圧止ブロック              ５        収容台
５１      係止片                    ５２      固定枠
５２１    係止鉤                    ５３      ネジ
５４      盤体                      ５４１    多辺形孔
５５      下蓋                      ６        伝動軸
６１      連動スリーブ              ６２      定位具
７        研磨組                    ７１      外研磨歯
７１１    研磨歯                    ７１２    リブ
７２      内研磨歯                  ７２１    研磨歯
７２２    多辺形孔                  ８        電気連通具
８１      導電端子                  ８２      圧止ブロック
９        電気連通具                ９１      圧止ブロック
９２      導電端子
（従来の部分）
４０      上本体部材                ４０１    上蓋
４０１１  係り鉤                    ４０２    円筒体
４０２１  係り溝                    ４０３    透明カバー
４０２２  スイッチ溝                ４０２３  ホゾ
４０４１  開口溝                    ４０４    スイッチ
４０２４  係りホゾ                  ４０５    手動回転盤
４０５１  押圧ブロック              ４０５２  反動止め具
４０６    モータ空間                ５０      胡椒粒空間
５０１    斜動止めホゾ              ６０      伝動部材
６０１    モータ                    ６０２    モータ台
７０      研磨部材                  ７０１    回転シャフト
７０２    はすば歯車                ７０３    ナット
【図１】
0003112547.tif 000003
【図２】
0003112547.tif 000004
【図３】
0003112547.tif 000005
【図４】
0003112547.tif 000006
【図５】
0003112547.tif 000007
【図６】
0003112547.tif 000008
【図７】
0003112547.tif 000009
【図８】
0003112547.tif 000010
【図９】
0003112547.tif 000011
【図１０】
0003112547.tif 000012
【図１１】
0003112547.tif 000013
【図１２】
0003112547.tif 000014
【図１３】
0003112547.tif 000015
【図１４】
0003112547.tif 000016
【図１５】
0003112547.tif 000017
【図１６】
0003112547.tif 000018